(57)【要約】【課題】  簡単な構造で、ハンカチーフをハンドバッグに入れなくても携帯することができるようにし、さらに装飾用としても優れたリング状装身具付きハンカチーフを提供する。【解決手段】  ハンカチーフ２と指輪３とに、互いに係合する係合部４，５をそれぞれ設け、ハンカチーフ２と指輪３とを着脱可能とする。指輪３は、リング部３ａと装飾部３ｂとを備え、ビーズ７を編み込んで形成される。リング部３ａの装飾部３ｂと対向する外面に係合部５をビーズと共に編み込んで設ける。【選択図】  図１
0003106972.tif 000002
【実用新案登録請求の範囲】
【請求項１】
ハンカチーフとリング状装身具とに、互いに係合する係合部をそれぞれ設け、前記ハンカチーフと前記リング状装身具とを着脱可能としたことを特徴とするリング状装身具付きハンカチーフ。
【請求項２】
前記リング状装身具は指輪であることを特徴とする請求項１記載のリング状装身具付きハンカチーフ。
【請求項３】
前記指輪は、リング部と装飾部とを備え、前記装飾部と対向する前記リング部の外面に前記係合部を設けることを特徴とする請求項２記載のリング状装身具付きハンカチーフ。
【請求項４】
前記指輪は、ビーズを編み込んで形成したものであり、前記係合部は、前記リング部にビーズと共に編み込んで設けられることを特徴とする請求項２又は３記載のリング状装身具付きハンカチーフ。
【考案の詳細な説明】
【技術分野】
【０００１】
本考案は、ハンカチーフに指輪やブレスレット等のリング状装身具を着脱可能に取り付けたリング状装身具付きハンカチーフに関する。
【背景技術】
【０００２】
立食パーティーやダンスパーティーに出席する際に、ハンカチーフは汗や洗った手を拭くばかりではなく、例えば、冷たい飲み物や食べ物を入れたグラスや食器を取る際に、グラスや食器に添えて、水滴で衣服を汚さないようにしたり、装飾用として手に持ったり胸ポケットに入れたりすることもあった。
【０００３】
女性の場合、通常、ハンカチーフはハンドバッグの中に入れて持ち歩くことから、立食パーティーやダンスパーティーでは、バッグからの出し入れが煩わしかった。このため、ハンカチーフの中央部分に折り型を設け、この折り型を利用してハンカチーフを折り畳み、折畳み保持用係止部材でハンカチーフを折り型に保持させるとともに、折り型の盤面の中央部に布ゴムや合成樹脂製の手指装着部を設けて、ハンカチーフをハンドバッグに入れなくても持ち歩くことができるようにしたものや（例えば、特許文献１参照。）、ハンカチーフに、衣服への止めピン付きのホルダと、ハンカチーフ差し込み用のリングと、該リングと前記ホルダとを連結する鎖とを設け、ハンカチーフを装飾用として衣服に簡単に取り付けられるようにしたもの（例えば、特許文献２参照。）が提案されている。
【特許文献１】実用新案登録第３０６４２９０号公報
【特許文献２】特開昭６２−１０６７０３号公報
【考案の開示】
【考案が解決しようとする課題】
【０００４】
しかし、上述の特許文献１のものでは、ハンカチーフに、折り型や折畳み保持用係止部材を設けなくてはならず、コストが嵩み、また、布ゴムや合成樹脂製の手指装着部を用いることから、装飾用としては適当ではなかった。また、引用文献２のものでは、衣服に取り付けたハンカチーフを、装飾用以外の用途に用いることはできず、汗や洗った手を拭くハンカチーフは、別途携帯しなければならなかった。
【０００５】
そこで本考案は、簡単な構造で、ハンカチーフをハンドバッグに入れなくても携帯することができるようにし、さらに装飾用としても優れたリング状装身具付きハンカチーフを提供することを目的としている。
【課題を解決するための手段】
【０００６】
上記の目的を達成するため本考案は、ハンカチーフとリング状装身具とに、互いに係合する係合部をそれぞれ設け、前記ハンカチーフと前記リング状装身具とを着脱可能としたことを特徴としている。また、前記リング状装身具は指輪であることを特徴とし、前記指輪は、リング部と装飾部とを備え、前記装飾部と対向する前記リング部の外面に前記係合部を設けると好適であり、さらに、前記指輪は、ビーズを編み込んで形成したものであり、前記係合部は、前記リング部にビーズと共に編み込んで設けることが好ましい。
【考案の効果】
【０００７】
上述の考案により、ハンカチーフに設けた係合部と、指輪やブレスレット等のリング状装身具に設けた係合部とを係合させれば、指輪やブレスレットを装着するのと同時にハンカチーフを簡便に携帯することができる。また、指輪の装飾部と対向するリング部外面に係合部を設けることにより、装飾部を手の甲側に向けて指輪を装着すれば、ハンカチーフは自動的に手のひら側に位置するので、立食パーティーやダンスパーティー等でハンカチーフを使用し易い。
【０００８】
さらに、衣服によって、指輪の種類やハンカチーフに用いられるレースや図柄を選択すれば、優れた装飾品となる。また、ビーズ製の指輪やブレスレットでは、ビーズを編み込む際に係合部をビーズと一緒に編み込むことにより、指輪やブレスレットに係合部を簡単に取り付けることができる。
【考案を実施するための最良の形態】
【０００９】
以下、本考案の一形態例を図面に基づいて詳しく説明する。図１乃至図５は本考案の第１形態例を示すもので、リング状装身具付きハンカチーフ１は、ハンカチーフ２と指輪３とに互いに係合する係合部４，５をそれぞれ設け、ハンカチーフ２と指輪３とを着脱可能としている。
【００１０】
指輪３は、てぐす６に複数のビーズ７を挿通させながらリング状に編み込んで形成したもので、指に装着するリング部３ａと装飾部３ｂとを備えている。リング部３ａの装飾部３ｂと対向する外面には、丸カン８が編み込まれている。
【００１１】
指輪３に設けられる係合部５は、前記丸カン８と、引き輪９とで構成される。引き輪９は周知の構造を有するもので、一部に切欠き９ａが設けられた略リング状の管９ｂと、その内部に移動可能に収容され切欠きを塞ぐように管９ｂの端部から突出すると共に、管９ｂの外周に設けられたスリットから突出する操作部９ｃを有する芯部９ｄと、管９ｂ内に収容され芯部９ｄを切欠き９ａを塞ぐ方向に付勢するバネ（図示せず）とから構成され、管９ｂの外周には、前記丸カン８と係合する係合リング９ｅが一体に形成されている。
【００１２】
ハンカチーフ２は、矩形の布部２ａと該布部２ａの周囲に連続して設けられた幅広のレース部２ｂとを備えたもので、中心部に、ハンカチーフ２と同系色の糸をリング状に編んで形成した前記係合部４が縫い付けられる。
【００１３】
前記引き輪９は、前記丸カン８の切欠き８ａから、丸カン８内に係合リング９ｅを挿入して指輪３に取り付けられ、操作部９ｃを操作して、ハンカチーフ２の係合部４を係合リング９ｅ内に挿入させることにより、指輪３にハンカチーフ２が取り付けられる。本形態例では、丸カン８は、指輪３を編み込む際に、ビーズ７と一緒に編み込まれることから、丸カン８の取り付けに手間が掛からない。また、引き輪９を簡単に指輪に取り付けることができるとともに、ワンタッチでハンカチーフ２を指輪３に取り付けることができる。
【００１４】
上述のようにハンカチーフ２と指輪３とを係合させたリング状装身具付きハンカチーフ１は、装飾部３ｂを手の甲側に向けて指輪３を指に装着すれば、ハンカチーフ２は自動的に手のひら側に位置し、立食パーティーやダンスパーティー等でハンカチーフ２を使用し易い。また、ハンカチーフ２を使用しない時には、ハンカチーフ２を手のひら側に垂らしておいてもよいし、握っていることもできる。さらに、衣服によって、指輪３の種類やハンカチーフ２に用いられるレース部２ｂや布部２ａの図柄を選択すれば、優れた装飾品となり、係合部４を備えた意匠の異なるハンカチーフ２を数枚用意して、ハンカチーフ２を付け替えて楽しむこともできる。また、ハンカチーフ２の係合部４にも丸カンや引き輪等の留め具を使用することができるが、ハンカチーフ２の係合部４を糸をリング状に編んで形成したもとすることにより、ハンカチーフ２で汗や洗った手を拭く際に、係合部４が邪魔になることがない。
【００１５】
尚、本考案の指輪は、ビーズ製のものに限らず、金属のリング部を有した周知の指輪を用いることもでき、リング部に丸カンを挿入し、該丸カンに引き輪を取り付けてもよい。係合部の種類も、前述の引き輪以外に、周知のなすカンや、かにカンを利用することができる。また、リング状装身具として、ブレスレットを用いることもでき、さらに、用いられるハンカチーフは、上述のように矩形のものに限らず、円形のものでもよく、主に装飾用として用いる例えばレースのみで形成したもの、刺繍やプリントを施したもの或いは無地のもの等でもよい。
【図面の簡単な説明】
【００１６】
【図１】本考案の一形態例を示すリング状装身具付きハンカチーフである。
【図２】同じく分解斜視図である。
【図３】同じく要部拡大分解斜視図である。
【図４】同じく要部拡大斜視図である。
【図５】同じく使用状態を示す説明図である。
【符号の説明】
【００１７】
１…リング状装身具付きハンカチーフ、２…ハンカチーフ、２ａ…布部、２ｂ…レース部、３…指輪、３ａ…リング部、３ｂ…装飾部、４，５…係合部、６…てぐす、７…ビーズ、８…丸カン、８ａ…切欠き、９…引き輪、９ａ…切欠き、９ｂ…管、９ｃ…操作部、９ｄ…芯部、９ｅ…係合リング
【図１】
0003106972.tif 000003
【図２】
0003106972.tif 000004
【図３】
0003106972.tif 000005
【図４】
0003106972.tif 000006
【図５】
0003106972.tif 000007